(57)【要約】【課題】ディスプレイ２１に表示された着信履歴の中から所望の着信データを選択することによって、その発呼者に発呼を行なうことが可能な電話機において、不正行為者に対する発呼を防止する。【解決手段】本発明に係る電話機においては、制御回路８が着信時の呼び出し回数をカウントし、着信時にオフフック操作を行なうまでに発呼者側から呼び出しが中止されたとき、該着信について呼び出し回数のカウント値をメモリ１３に格納する。そして、着信履歴の表示に際し、制御回路８は、オフフック操作を行なうまでに呼び出しが中止された着信であって、且つメモリに格納されているカウント値が設定値以下の特定着信を省略して、ディスプレイ２１に着信履歴を表示する。【選択図】　　　図２
2004023494.tif 000002
【特許請求の範囲】
【請求項１】
ディスプレイに表示された着信履歴に含まれる１或いは複数人の発呼者の着信データの中から、所望の発呼者の着信データを選択することによって、その発呼者に発呼を行なうことが可能な電話機において、
着信時の呼び出し回数をカウントするカウント手段と、
着信時にオフフック操作を行なうまでに発呼者側から呼び出しが中止されたとき、該着信について呼び出し回数のカウント値を記憶する記憶手段と、
着信履歴の表示に際し、オフフック操作を行なうまでに呼び出しが中止された着信であって、且つ前記記憶手段に記憶されているカウント値が所定値以下の特定着信を省略して、ディスプレイに着信履歴を表示する着信履歴表示手段
とを具えたことを特徴とする電話機。
【請求項２】
前記特定着信を含めてディスプレイに着信履歴を表示する着信履歴全表示モードと、前記特定着信を省略してディスプレイに着信履歴を表示する着信履歴オミット表示モードとを切り換えるためのモード切換え手段を具えている請求項１に記載の電話機。
【請求項３】
前記記憶手段は、着信時にオフフック操作を行なうまでに発呼者側から呼び出しが中止されたときの呼び出し回数のカウント値を記憶し、着信履歴表示手段は、着信データとして該カウント値を表示する請求項１又は請求項２に記載の電話機。
【請求項４】
ディスプレイに表示された着信履歴に含まれる１或いは複数人の発呼者の着信データの中から、所望の発呼者の着信データを選択することによって、その発呼者に発呼を行なうことが可能な電話機において、
着信時の呼び出し回数をカウントするカウント手段と、
着信時にオフフック操作を行なうまでに発呼者側から呼び出しが中止されたとき、該着信について呼び出し回数のカウント値を記憶する記憶手段と、
着信履歴の表示に際し、着信データの１つとして、前記記憶手段に記憶されているカウント値を表示する着信履歴表示手段
とを具えたことを特徴とする電話機。
【発明の詳細な説明】
【０００１】
【発明の属する技術分野】
本発明は、着信履歴を表示することが可能な電話機に関するものである。
【０００２】
【従来の技術】
一般に、携帯電話機においては、ディスプレイに着信履歴を表示することが可能であり、着信履歴に含まれる複数人の発呼者の着信データの中から、所望の発呼者の着信データを選択することによって、その発呼者に発呼を行なうことが出来る様になっている。
【０００３】
【発明が解決しようとする課題】
ところで近年、悪意をもって、不特定多数の相手に発呼を行ない、１回だけの呼び出しで発呼を中止することによって、相手の着信履歴に着信データを残し、相手の発呼を促して、その発信番号をたよりに不当な情報料を徴収するという不正行為、所謂“ワン切り”が横行している。
しかしながら、従来の電話機においては、ユーザは、悪意の発呼であるかどうかの判断を行なうことが出来ないため、“ワン切り”に対して有効な対策を講じることが出来なかった。
そこで本発明の目的は、“ワン切り”の如き不正行為による被害を防止することが出来る電話機を提供することである。
【０００４】
【課題を解決する為の手段】
本発明に係る電話機は、ディスプレイに表示された着信履歴に含まれる１或いは複数人の発呼者の着信データの中から、所望の発呼者の着信データを選択することによって、その発呼者に発呼を行なうことが可能であって、
着信時の呼び出し回数をカウントするカウント手段と、
着信時にオフフック操作を行なうまでに発呼者側から呼び出しが中止されたとき、該着信について呼び出し回数のカウント値を記憶する記憶手段と、
着信履歴の表示に際し、オフフック操作を行なうまでに呼び出しが中止された着信であって、且つ前記記憶手段に記憶されているカウント値が所定値以下の特定着信を省略して、ディスプレイに着信履歴を表示する着信履歴表示手段
とを具えている。
【０００５】
上記本発明の電話機においては、“ワン切り”の如き不正行為の着信があった場合、呼び出し回数が所定値以下（例えば１回）で、オフフック操作を行なうまでに発呼者から呼び出しが中止されるので、着信履歴の表示には、当該発呼者の着信データが省略される。
従って、ユーザは、ディスプレイに表示された着信履歴に含まれる着信データの中から１つの着信データを選択して、その発呼者に発呼を行なう場合、不正行為者に対して発呼を行なう虞はない。
【０００６】
具体的構成において、前記特定着信を含めてディスプレイに着信履歴を表示する着信履歴全表示モードと、前記特定着信を省略してディスプレイに着信履歴を表示する着信履歴オミット表示モードとを切り換えるためのモード切換え手段を具えている。
従って、ユーザは、モード切換え手段を操作して、着信履歴オミット表示モードから着信履歴全表示モードに切り換えることによって、特定着信を含めて全ての着信についての着信データを表示することが出来、この中から任意の着信データを選択して、発呼を行なうことが可能である。
【０００７】
又、具体的構成において、前記記憶手段は、着信時にオフフック操作を行なうまでに発呼者側から呼び出しが中止されたときの呼び出し回数のカウント値を記憶し、着信履歴表示手段は、着信データとして該カウント値を表示する。
従って、ユーザは、特定着信を含めてオフフック操作を行なわなかった全ての着信について、呼び出し回数を知ることが出来る。
【０００８】
本発明に係る他の電話機は、ディスプレイに表示された着信履歴に含まれる１或いは複数人の発呼者の着信データの中から、所望の発呼者の着信データを選択することによって、その発呼者に発呼を行なうことが可能であって、
着信時の呼び出し回数をカウントするカウント手段と、
着信時にオフフック操作を行なうまでに発呼者側から呼び出しが中止されたとき、該着信について呼び出し回数のカウント値を記憶する記憶手段と、
着信履歴の表示に際し、着信データの１つとして、前記記憶手段に記憶されているカウント値を表示する着信履歴表示手段
とを具えている。
【０００９】
上記本発明の電話機によれば、ユーザは、特定着信を含めてオフフック操作を行なわなかった全ての着信について、呼び出し回数を知ることが出来る。そこで、着信履歴から任意の着信データを選択して発呼を行なう場合、ユーザは、呼び出し回数が所定値以下（例えば１回）の特定着信を不正行為の着信と判断して、該着信データの選択を避けることが可能であり、これによって不正行為者に対する発呼を防止することが出来る。
【００１０】
【発明の効果】
本発明に係る電話機によれば、“ワン切り”の如き不正行為による被害を防止することが出来る。
【００１１】
【発明の実施の形態】
以下、本発明を携帯電話機に実施した形態につき、図面に沿って具体的に説明する。
本発明に係る携帯電話機は、図１に示す如く、複数の操作キー（１２）が配設された本体（１）の上端部に、ヒンジ機構（３）を介して、ディスプレイ（２１）が配備された蓋体（２）の下端部を連結してなり、本体（１）に対して蓋体（２）を開閉することが可能である。本体（１）と蓋体（２）の連結部には、蓋体（２）の開／閉状態を検知する開閉検知器（４）が取り付けられている。
本体（１）の上端部には、アンテナ（１１）が突設されている。又、本体（１）の下端部にはマイクロフォン（９）が配備される一方、蓋体（２）の上端部にはスピーカ（１０）が配備され、蓋体（２）を開いた状態で通話が可能となる。
【００１２】
図２は、上記携帯電話機の電気的構成を表わしている。図示の如くデュープレクサ（５）に対して並列に受信回路（６）及び送信回路（７）が接続されており、アンテナ（１１）によって受信された信号は、デュープレクサ（５）を経て受信回路（６）に供給され、受話信号が復調される。該受話信号は、制御回路（８）を経てスピーカ（１０）に供給されて放音される。又、マイクロフォン（９）に入力された送話信号は、制御回路（８）を経て送信回路（７）に供給され、変調を受ける。変調を受けた送話信号は、デュープレクサ（５）を経てアンテナ（１１）から送信される。
又、制御回路（８）には上記開閉検知器（４）が接続されており、該開閉検知器（４）から得られる開／閉検知信号が制御回路（８）に供給される。
更に、制御回路（８）には、上述のディスプレイ（２１）及び複数の操作キー（１２）が接続されると共にメモリ（１３）が接続されている。
【００１３】
上記携帯電話機においては、従来と同様、着信時に着信日時や発呼者の電話番号等の着信データが取得され、過去の着信時についての着信データからなる着信履歴がメモリ（１３）に格納される。該着信履歴は、ユーザの着信履歴表示操作に応じて、ディスプレイ（２１）に表示される。そして、ユーザが着信履歴に含まれる複数人の発呼者の着信データの中から、所望の発呼者の着信データを選択すると、その発呼者に対して自動的に発呼が行われる。
【００１４】
本発明に係る携帯電話機においては、“ワン切り”の如き不正行為による被害を回避するべく、制御回路（８）は、図３〜図５に示す着信処理及び発呼手続きを実行する。尚、“ワン切り”の如き不正行為の呼び出し回数として、予め所定の値（ここでは２回とする）が設定されている。又、着信履歴の表示モードとして、呼び出し回数に拘らず全ての着信を表示する“全表示モード”と、呼び出し回数が設定値以下の着信については着信データを表示しない“オミット表示モード”とを切り換えることが可能であって、予めユーザによって何れかのモードが選択設定されているものとする。
【００１５】
携帯電話機の電源がオンになると、制御回路（８）は、先ず図３のステップＳ１にて、着信があったかどうかを判断し、ここで着信があってイエスと判断されると、ステップＳ２にて呼び出しリンガー音の発生等、所定の動作（以下、着信動作という）を開始すると共に、呼び出し回数のカウントを開始する。次にステップＳ３では、オフフックキーが押下されたかどうかを判断する。ここでイエスと判断されると、ステップＳ４へ移行して、着信動作を終了すると共に、呼び出し回数のカウントを終了する。
【００１６】
次にステップＳ５では、着信日時、発呼者の電話番号等の着信データをメモリに格納した後、ステップＳ６にて通信を開始する。
その後、ステップＳ７にてオンフックキーが押下されたかどうかを判断し、ここでイエスと判断されたとき、ステップＳ８にて通信を終了し、ステップＳ１に戻って次の着信に待機する。
【００１７】
着信時にオフフックキーが押下されることなく、ステップＳ３にてノーと判断されたときは、ステップＳ９に移行して、着信中（呼び出し中）かどうかを判断し、着信中であってイエスと判断されたときは、ステップＳ３に戻ってオフフックキーの押下に待機する。
オフフックキーを押下するまでに発呼者側から呼び出しが中止された場合は、ステップＳ９にてノーと判断され、ステップＳ１０へ移行する。ステップＳ１０では、着信動作を終了すると共に、呼び出し回数のカウントを終了した後、ステップＳ１１にて、着信日時、発呼者の電話番号、呼び出し回数のカウント値などの着信データをメモリに格納する。
【００１８】
続いて、図４のステップＳ１２にて、ユーザによって着信履歴を確認するための操作が行なわれたかどうかを判断し、着信履歴確認操作が行なわれなかった場合は、ステップＳ１３に移行して、着信があったかどうかを判断し、着信がない場合はステップＳ１２に戻って、着信履歴確認操作に待機する。
その後、着信があった場合は図３のステップＳ２に戻って、前述の処理を実行する。
【００１９】
一方、着信履歴確認操作が行なわれて図４のステップＳ１２にてイエスと判断されたときは、ステップＳ１４に移行して、着信履歴の表示モードが全表示モードであるか、オミット表示モードであるかを判断する。
全表示モードの場合はステップＳ１５に移行して、着信履歴の全ての着信データを一覧表示する。
【００２０】
図６に着信履歴全表示の一例を示す。図示の如く、全ての着信“０１”“０２”“０３”“０４”“０５”・・・について、着信日時と発呼者の電話番号が表示されると共に、オフフック操作が行なわれなかった“不在”の着信“０１”“０３”“０４”についてはそれぞれ、呼び出し回数“２回”“１回”“６回”が表示されている。
ユーザは、この中から任意の電話番号を選択してオフフック操作を行なうことによって、その電話番号に発呼を行なうことが出来る。
【００２１】
着信履歴の全表示を行なった後、図４のステップＳ１６では、着信履歴の表示の中から１つの電話番号が選択されて、オフフックキーが押下されたかどうかを判断し、ノーの場合はステップＳ１７にて、表示終了操作が行なわれたかどうかを判断する。ここで、表示終了操作が行なわれなかったときは、ステップＳ１６に戻って、番号選択及びオフフックキー押下に待機する。
表示終了操作が行なわれてステップＳ１７にてイエスと判断されたときは、ステップＳ１８に移行して、着信履歴の全表示を終了した後、図３のステップＳ１に戻って、着信に待機する。
【００２２】
一方、着信履歴の中から１つの電話番号が選択されてオフフックキーが押下され、図４のステップＳ１６にてイエスと判断されたときは、ステップＳ１９に移行して、着信履歴の全表示を終了した後、ステップＳ２０にて通信を開始する。その後、ステップＳ２１にてオンフックキーが押下されたかどうかを判断し、イエスと判断されたときは、ステップＳ２２にて通信を終した後、図３のステップＳ１に戻って、着信に待機する。
【００２３】
図４のステップＳ１４にてオミット表示モードが設定されていると判断されたときは、図５のステップＳ２３へ移行し、着信履歴のオミット表示を行なう。オミット表示においては、オフフック操作を行なうまでに発呼者側から呼び出しが中止された着信であって、且つメモリに格納されているカウント値が設置値（本実施例では２）以下の特定着信を省略して、ディスプレイに着信履歴を表示する。
【００２４】
図７に着信履歴オミット表示の一例を示す。図示の如く、呼び出し回数が２回の着信“０１”と呼び出し回数が１回の着信“０３”については、着信データの表示が省略され、呼び出し回数が３回以上の着信の着信データのみが表示されている。
ユーザは、この中から任意の電話番号を選択してオフフック操作を行なうことによって、その電話番号に発呼を行なうことが出来る。
【００２５】
着信履歴のオミット表示を行なった後、図５のステップＳ２４では、着信履歴の中から１つの電話番号が選択されると共に、オフフックキーが押下されたかどうかを判断し、ノーの場合はステップＳ２５にて、全表示操作が行なわれたかどうかを判断する。ここでイエスと判断されたときは、ステップＳ２８に移行して、着信履歴のオミット表示を終了し、ステップＳ２９にて着信履歴の全表示を行なった後、図４のステップＳ１６に移行して、電話番号選択及びオフフックキー押下に待機する。
【００２６】
一方、全表示操作は行なわれず、図５の２５にてノーと判断されたときは、ステップＳ２６に移行して、表示終了操作が行なわれたかどうかを判断する。ここで、表示終了操作が行なわれなかったときは、ステップＳ２４に戻って、番号選択及びオフフックキー押下に待機する。
表示終了操作が行なわれてステップＳ２６にてイエスと判断されたときは、ステップＳ２７に移行して、着信履歴のオミット表示を終了した後、図３のステップＳ１に戻って、着信に待機する。
【００２７】
着信履歴のオミット表示の状態で、着信履歴の中から１つの電話番号が選択されてオフフックキーが押下され、図５のステップＳ２４にてイエスと判断されたときは、ステップＳ３０に移行して、着信履歴のオミット表示を終了した後、ステップＳ３１にて通信を開始する。
その後、ステップＳ３２にてオンフックキーが押下されたかどうかを判断し、イエスと判断されたときは、ステップＳ３３にて通信を終した後、図３のステップＳ１に戻って、着信に待機する。
【００２８】
上述の如く、本発明に係る携帯電話機によれば、着信履歴オミット表示モードが設定されている場合、着信履歴の表示において、図７に示す如く呼び出し回数が設定値（本実施例では２）以下の着信データの表示が省略されるので、着信履歴の表示から１つの電話番号を選択する場合、呼び出し回数が設定値を越える着信データのみが選択対象となり、“ワン切り”の如き不正行為の可能性の高い、呼び出し回数が設定値以下の着信データが選択される虞はない。
この結果、“ワン切り”の如き不正行為による被害を確実に防止することが出来る。
【００２９】
尚、着信履歴オミット表示モードが設定されている場合においても、ユーザは全表示操作を行なうことによって、呼び出し回数に拘わらず全ての着信データを表示させ、全ての着信データの中から任意の着信データを選択して発呼を行なうことも可能である。
【００３０】
本発明の各部構成は上記実施の形態に限らず、特許請求の範囲に記載の技術的範囲内で種々の変形が可能である。例えば、着信履歴の表示モードを図６に示す全表示モードのみとし、図示の如く着信履歴の表示に呼び出し回数を含める構成を採用することも可能である。該構成によれば、ユーザは、着信履歴から任意の着信データを選択して発呼を行なう場合、呼び出し回数が設定値以下（例えば２回）の特定着信を不正行為の着信と判断して、該着信データの選択を避けることが可能である。これによって、不正行為者に対する発呼を防止することが出来る。
【図面の簡単な説明】
【図１】本発明に係る携帯電話機の斜視図である。
【図２】該携帯電話機の構成を示すブロック図である。
【図３】該携帯電話機における着信処理及び発呼手続きの第１部を示すフローチャートである。
【図４】該手続きの第２部を表わすフローチャートである。
【図５】該手続きの第３部を表わすフローチャートである。
【図６】着信履歴全表示の例を示す図である。
【図７】着信履歴オミット表示の例を示す図である。
【符号の説明】
（１）　本体
（２）　蓋体
（３）　ヒンジ機構
（１２）　操作キー
（２１）　ディスプレイ
（８）　制御回路
（１３）　メモリ
【図１】
2004023494.tif 000003
【図２】
2004023494.tif 000004
【図３】
2004023494.tif 000005
【図４】
2004023494.tif 000006
【図５】
2004023494.tif 000007
【図６】
2004023494.tif 000008
【図７】
2004023494.tif 000009